(57)【要約】【課題】前方から視認した状態で明暗ができないように均一に発光する装飾装置を備える遊技機を提供する。【解決手段】後方に配置された光源からの光を拡散可能な装飾カバーを有する遊技機において、前記装飾カバーの内側に装飾部材を備え、前記装飾部材は、前記装飾カバー側に凹凸を有し、当該凹凸は、前記装飾カバーの角部に合せて配置される。【選択図】図５
2014104197.tif 000002
【特許請求の範囲】
【請求項１】
後方に配置された光源からの光を拡散可能な装飾カバーを有する遊技機において、
前記装飾カバーの内側に装飾部材を備え、
前記装飾部材は、前記装飾カバー側に凹凸を有し、当該凹凸は、前記装飾カバーの角部に合せて配置されることを特徴とする遊技機。
【請求項２】
前記装飾部材は、前記光源からの光を反射できる反射部を前記光源側に備えていることを特徴とする請求項１に記載の遊技機。
【請求項３】
前記装飾カバーの内面が、凹凸を備えることを特徴とする請求項１または２に記載の遊技機。
【請求項４】
前記光源が前後方向に移動可能であることを特徴とする請求項１から３のいずれか一つに記載の遊技機。
【請求項５】
前記装飾部材が前後方向に移動可能であることを特徴とする請求項１から４のいずれか一つに記載の遊技機。
【発明の詳細な説明】
【技術分野】
【０００１】
本発明は、遊技領域または遊技機の枠体などに設けられる装飾装置、及び、その装飾装置を搭載した遊技機に関する。
【背景技術】
【０００２】
従来、遊技機の装飾装置（電飾装置）は、装飾カバーの透明部に関してはほぼ均一に照明することができるように構成されている（特許文献１参照）。具体的には、装飾装置の装飾カバーは光を透過させる透明部と光を反射させる不透明部を備え、遊技者等が正面から見た場合に、不透明部によって隠れる位置に光源が配置されている。
【先行技術文献】
【特許文献】
【０００３】
【特許文献１】特開２０１１−７８４６６号公報
【発明の概要】
【発明が解決しようとする課題】
【０００４】
しかしながら、特許文献１のような遊技機の場合、透明部と不透明部を装飾カバーに設けているため、透明部が光を通すことにより発光しても不透明部は光を通さない。従って、装飾カバー自体に明るい箇所と暗い箇所ができてしまうと言う問題があった。
【０００５】
本発明は上記の課題に鑑みなされたもので、前方から視認した状態で明暗ができないように均一に発光する装飾カバーを備える遊技機を提供することを目的とする。
【課題を解決するための手段】
【０００６】
本発明の代表的な一形態では、後方に配置された光源からの光を拡散可能な装飾カバーを有する遊技機において、前記装飾カバーの内側に装飾部材を備え、前記装飾部材は、前記装飾カバー側に凹凸を有し、当該凹凸は、前記装飾カバーの角部に合せて配置される。
【０００７】
なお、「光源」は、例えば、ＬＥＤ（発光ダイオード）である。「角部」は、例えば、装飾カバーの表面において、隣りあう面の交わる直線状の境界である。
【発明の効果】
【０００８】
本発明の一形態によれば、凹凸を有する装飾部材を装飾カバーの内側に備えるため、装飾部材によって光源からの光を拡散でき、装飾カバーから均一に光が放出され易くなる。さらに、装飾カバーの凹凸が装飾カバーの角部に合せて配置されるため、装飾カバーを見た場合に角部が強調されて、装飾カバーの装飾性が向上する。
【図面の簡単な説明】
【０００９】
【図１】本発明の第１の実施の形態の遊技機の斜視図である。
【図２】本発明の第１の実施の形態の遊技機に備えられる遊技盤の正面図である。
【図３】本発明の第１の実施の形態の遊技機に備えられる装飾装置の斜視図である。
【図４】（Ａ）本発明の第１の実施の形態の遊技機に備えられる装飾装置の正面図である。（Ｂ）本発明の第１の実施の形態の遊技機に備えられる装飾装置の側面図である。
【図５】本発明の第１の実施の形態の遊技機に備えられる装飾装置の分解図である。
【図６】本発明の第１の実施の形態の装飾装置に備えられる装飾カバーを示す図である。（Ａ）は斜視図であり、（Ｂ）は側面図であり、（Ｃ）は上面図であり、（Ｄ）は正面図である。
【図７】本発明の第１の実施の形態の装飾装置に備えられる装飾部材を示す図である。（Ａ）は斜視図であり、（Ｂ）は側面図であり、（Ｃ）は上面図であり、（Ｄ）は正面図である。
【図８】本発明の第１の実施の形態の装飾カバーと装飾部材が前後方向に重ねられる様子を示す図である。（Ａ）は装飾カバーの正面図であり、（Ｂ）は装飾カバーの背面図であり、（Ｃ）は装飾部材の背面図であり、（Ｄ）は重なった状態の装飾カバーと装飾部材の背面図である。
【図９】本発明の第１の実施の形態の装飾カバーと装飾部材が前後方向に重ねられる様子を示す図である。（Ａ）は装飾部材が取付けられた装飾カバーの正面図であり、（Ｂ）はその上下方向内の断面図である。
【図１０】本発明の第２の実施の形態の遊技機に備えられる装飾装置の分解図である。
【図１１】本発明の第２の実施の形態の遊技機に備えられる装飾装置の拡散部材を示す図である。（Ａ）は斜視図であり、（Ｂ）は側面図であり、（Ｃ）は底面図であり、（Ｄ）は正面図である。
【図１２】本発明の第２の実施の形態に係る、拡散部材と装飾部材が組合わされた組立体（アセンブリ）を示す図である。（Ａ）は正面図であり、（Ｂ）は上下方向における断面図である。
【図１３】本発明の第２の実施の形態に係る、拡散部材と装飾部材が組合わされた組立体（アセンブリ）を示す図である。（Ａ）は左上からの斜視図であり、（Ｂ）は右上からの斜視図であり、（Ｃ）は上面図である。
【図１４】本発明の第２の実施の形態に係る、拡散部材と装飾部材が組合わされた組立体（アセンブリ）を示す図である。（Ａ）は左下からの斜視図であり、（Ｂ）は右下からの斜視図であり、（Ｃ）は下面図である。
【図１５】本発明の第３の実施の形態に係る装飾カバーの背面図である。
【図１６】本発明の第４の実施の形態に係る装飾装置の上下方向の断面図である。（Ａ）は、ＬＥＤ基板が前方に位置する場合を示し、（Ｂ）はＬＥＤ基板が後方に位置する場合を示す。
【図１７】本発明の第４の実施の形態に係る装飾装置の上下方向の他の断面図である。（Ａ）は、装飾部材が後方に位置する場合を示し、（Ｂ）は装飾部材が前方に位置する場合を示す。
【図１８】本発明の第５の実施の形態の遊技機に備えられる装飾装置の分解図である。
【図１９】本発明の第５の実施の形態の遊技機に備えられる装飾装置の（Ａ）正面図と（Ｂ）背面図である。
【発明を実施するための形態】
【００１０】
以下、図面を参照して、本発明による遊技機の実施形態について説明する。
【００１１】
（第１の実施の形態）
〔遊技機の構成〕
図１は、本発明の第１の実施の形態の遊技機１の斜視図である。
【００１２】
遊技機１は、島設備に固定される本体枠２にヒンジ３を介して右側部が開閉回動自在に取り付けられる開閉枠４を備える。開閉枠４は、前面枠５及びガラス枠（遊技枠）６によって構成される。
【００１３】
前面枠５には、遊技盤３０（図２参照）が配設されるとともに、遊技盤３０の前面を覆うカバーガラス６ａを備えたガラス枠６が取り付けられる。前面枠５及びガラス枠６は、それぞれ個別に開放することが可能となっている。例えば、ガラス枠６のみを開放して遊技盤３０の遊技領域３１（図２参照）にアクセスすることができる。また、前面枠５をガラス枠６が開放されていない状態で開放することによって、遊技盤３０の裏側に配置された既知の遊技制御装置（メイン基板）等にアクセスすることができる。
【００１４】
ガラス枠６のカバーガラス６ａの周囲には、装飾部材７が配設されている。装飾部材７の内部にはＬＥＤ（発光ダイオード、即ち光源）等が収容されている。
【００１５】
ガラス枠６の上部には照明ユニット８が配設され、照明ユニット８の左右両側には可動式照明９が配設される。照明ユニット８は、内部にＬＥＤ等の照明部材を収容しており、遊技状態に応じて発光演出を行う。可動式照明９は、ＬＥＤ等の照明部材と、照明部材を駆動する照明駆動モータ等を備える。
【００１６】
遊技機１は、効果音や警報音、報知音等を発する上スピーカー１０ａ及び下スピーカー１０ｂを備える。上スピーカー１０ａはガラス枠６の上両側部に配置され、下スピーカー１０ｂは上皿ユニット１１を構成する上皿１１ａの下方に配置される。
【００１７】
左側部に配設される可動式照明９の右上方には、遊技機１における異常を報知するための遊技状態報知ＬＥＤ１２が設けられている。遊技機１において異常が発生した場合には、遊技状態報知ＬＥＤ１２が点灯又は点滅するとともに、上スピーカー１０ａ及び下スピーカー１０ｂから異常を報知するための報知音が出力される。
【００１８】
遊技機１で発生する異常には、遊技機１の故障及び不正行為の実施等が含まれる。不正行為には、例えば、発射された遊技球の軌道を磁石によって不正に操作する行為や遊技機１を振動させる行為等が含まれる。これらの不正行為は、磁気センサスイッチによって磁気を検出したり、振動センサスイッチによって振動を検出したりすることで検知される。
【００１９】
また、不正に開閉枠４を開放する行為も不正行為に含まれる。前面枠５の開閉状態は前面枠開放検出スイッチによって検出され、ガラス枠６の開閉状態はガラス枠開放検出スイッチによって検出される。
【００２０】
ガラス枠６の下部には、上皿１１ａを含む上皿ユニット１１が備えられる。上皿１１ａに貯留された遊技球は、前面枠５の下部に設けられる球発射装置（図示省略）に供給される。
【００２１】
ガラス枠６の下方位置において前面枠５に固定される固定パネル１３には、下皿１４と、球発射装置を駆動するための操作部１５とが備えられる。遊技者が操作部１５を回動操作することによって、球発射装置は上皿１１ａから供給された遊技球を遊技盤３０の遊技領域３１（図２参照）に発射する。下皿１４には、当該下皿１４に貯留された遊技球を外部へ排出するための球抜き機構１６が設けられる。
【００２２】
上皿ユニット１１には、遊技者からの操作入力を受け付けるための演出ボタン１７が上皿１１ａの手前側に配設されている。遊技者が演出ボタン１７を操作することによって、変動表示装置（表示装置）３５（図２参照）での変動表示ゲームにおいて遊技者の操作を介入させた演出を行うことができ、例えば通常遊技状態においては演出パターン（演出態様）を変更することができる。変動表示ゲームには、特図変動表示ゲームと普図変動表示ゲーム（普図ゲーム、特定変動表示ゲーム）が含まれるが、本明細書では単に変動表示ゲームとした場合には特図変動表示ゲームを指すものとする。
【００２３】
なお、通常遊技状態（通常状態）とは、特定の遊技状態が発生していない遊技状態である。特定の遊技状態とは、例えば変動表示ゲームの結果が大当りになる確率が高い確変遊技状態（高確率状態）、変動表示ゲームの単位時間当たりの実行数を向上させることが可能な時短遊技状態、大当り遊技状態（特別遊技状態）等である。また、高確率状態に対応して通常遊技状態を低確率状態ともいう。遊技状態は、第１始動入賞口３７ａ又は第２始動入賞口３７ｂへの遊技球の入賞時に、遊技制御装置の乱数による抽選によって決定される。
【００２４】
図示しない既知の演出制御装置（サブ基板）は、遊技状態に応じて、ＬＥＤの点灯点滅などの演出の制御を行う。また、演出制御装置は、遊技制御装置の各特図変動表示ゲームに対応して、変動表示装置３５にて複数種類の識別情報（例えば、数字、記号、キャラクタ図柄など）を変動表示させる飾り特図変動表示ゲームを実行する。また、変動表示装置３５では、興趣向上のためにキャラクタの出現など多様な演出表示が行われる。
【００２５】
ガラス枠６の装飾部材７の下部には、遊技者が遊技球を借りる場合に操作する球貸ボタン１８と、カードユニット（図示省略）からプリペイドカード等を排出させるために操作される排出ボタン１９とが配設される。
【００２６】
〔遊技盤の構成〕
図２は、本発明の第１の実施の形態の遊技機１に備えられる遊技盤３０の正面図である。
【００２７】
遊技盤３０は、各種部材の取り付けベースとなる平板状の遊技盤本体３２（木製又は合成樹脂製）を備え、該遊技盤本体３２の前面にガイドレール３３で囲まれた略円形状の遊技領域３１を有している。また、遊技盤本体３２の前面であってガイドレール３３の外側には、前面構成部材（サイドケース）が取り付けられている。さらに、遊技領域３１の右下側の前面構成部材は、前面の中央部が黒色透明の証紙プレートで覆われている。そして、このガイドレール３３で囲まれた遊技領域３１内に打球発射装置から遊技球を発射して遊技を行うようになっている。遊技領域３１には、打球方向変換部材としての風車や多数の障害釘（図示略）などが配設されており、発射された遊技球はこれらの打球方向変換部材により転動方向を変えながら遊技領域３１を流下する。
【００２８】
遊技領域３１の略中央には、変動表示ゲームの表示領域となる窓部を形成するセンターケース３４が取り付けられている。センターケース３４に形成された窓部の後方には、複数の識別情報を変動表示（可変表示）する変動表示ゲームの演出を実行可能な演出表示装置としての変動表示装置（表示装置）３５が配置されている。変動表示装置３５は、例えば、液晶ディスプレイなどの表示部３５ａを備え、センターケース３４の窓部を介して遊技盤３０の前面側から表示内容が視認可能となるように配置される。なお、変動表示装置３５は、液晶ディスプレイを備えるものに限らず、ＥＬ、ＣＲＴ等のディスプレイを備えるものであってもよい。
【００２９】
変動表示装置３５において、表示画面の画像を表示可能な領域（表示領域）には、複数の変動表示領域が設けられており、各変動表示領域に識別情報（特別図柄）や変動表示ゲームを演出するキャラクタが表示される。その他、表示画面には遊技の進行に基づく画像（例えば、大当り表示、ファンファーレ表示、エンディング表示等）が表示される。
【００３０】
遊技領域３１の変動表示装置３５の上側（上方）には、装飾装置７０（電飾装置）が備えられている。装飾装置７０は、ＬＥＤ、リフレクター、装飾部材、装飾カバーなどから構成される。装飾装置７０は、内部のＬＥＤが発光することによって、全体として光る演出を行う。なお、装飾装置７０の詳細な構成は、後述される。
【００３１】
遊技領域３１のセンターケース３４の右側には、普通図柄始動ゲート（普図始動ゲート、所定領域）３６が設けられている。普図始動ゲート３６の内部には、該普図始動ゲート３６を通過した遊技球を検出するためのゲートスイッチ（ＳＷ）が設けられている。そして、遊技領域３１内に打ち込まれた遊技球が普図始動ゲート３６内を通過（所定条件の成立）すると、普図変動表示ゲーム（特定変動表示ゲーム）が実行される。なお、普通図柄始動ゲート（普図始動ゲート、所定領域）３６を遊技領域３１のセンターケース３４の左側にも設けてもよい。
【００３２】
さらに、センターケース３４の左下側には、三つの一般入賞口４０が配置され、センターケース３４の右下側には、一つの一般入賞口４０が配置されている。また、一般入賞口４０への遊技球の入賞は、一般入賞口４０に備えられた入賞口スイッチ（ＳＷ）によって検出される。
【００３３】
また、センターケース３４の下方には、特図変動表示ゲームの開始条件を与える第１始動入賞口（第１始動入賞領域、始動口１）３７ａが設けられ、その直下には上部に逆「ハ」の字状に開いて遊技球が流入し易い状態に変換する一対の開閉部材３７ｃを備えるとともに内部に第２始動入賞口（第２始動入賞領域、始動口２）３７ｂが配設されている。そして、遊技球が第１始動入賞口３７ａ又は第２始動入賞口３７ｂに入賞した場合には、補助遊技として特図変動表示ゲームが実行される。すなわち、第１始動入賞口３７ａ又は第２始動入賞口３７ｂに遊技球が入賞することが特図変動表示ゲームを開始するための始動条件となっており、第１始動入賞口３７ａ及び第２始動入賞口３７ｂが当該始動条件を発生させる変動始動入賞装置をなしている。
【００３４】
第２始動入賞口３７ｂの一対の開閉部材３７ｃは、常時は遊技球の直径程度の間隔をおいた閉じた閉状態（遊技者にとって不利な状態）を保持している。ただし、第２始動入賞口３７ｂの上方には、第１始動入賞口３７ａが設けられているので、閉じた状態では遊技球が入賞できないように構成されている。
【００３５】
そして、普図変動表示ゲームの結果が所定の停止表示態様となった場合には、開閉部材３７ｃは、駆動装置としての普電ソレノイドによって、逆「ハ」の字状に開いて第２始動入賞口３７ｂに遊技球が流入し易い開状態（遊技者にとって有利な状態）に変化させられるように構成されている。
【００３６】
さらに遊技領域３１の普通図柄始動ゲート３６の下方には、大入賞口ソレノイドによって上端側が手前側に倒れる方向に回動して開放可能になっているアタッカ形式の開閉扉４１ａを有する大入賞口を備えた特別変動入賞装置４１が設けられている。特別変動入賞装置４１は、特図変動表示ゲームの結果によって大入賞口を閉じた状態（遊技者にとって不利な閉塞状態）から開放状態（遊技者にとって有利な状態、特別遊技状態）に変換し、大入賞口内への遊技球の流入を容易にさせることで、遊技者に所定の遊技価値（賞球）を付与するようになっている。なお、大入賞口の内部（入賞領域）には、当該大入賞口に入った遊技球を検出する検出手段としてのカウントスイッチが配設されている。
【００３７】
一般入賞口４０、第１始動入賞口３７ａ、第２始動入賞口３７ｂ、及び特別変動入賞装置４１の大入賞口に遊技球が入賞すると、払出制御装置は、入賞した入賞口の種類に応じた数の賞球を払出装置から前面枠５の上皿１１ａ又は下皿１４に排出するように制御する。また、第２始動入賞口３７ｂの下方には、入賞口などに入賞しなかった遊技球を回収するアウト口４２が設けられている。
【００３８】
遊技機１では、球発射装置（図示省略）によって打ち出された遊技球は、ガイドレール３３の内周壁に沿って区画された発射球案内通路４３を通って遊技領域３１内に発射され、方向変換部材（図示省略）によって落下方向を変えながら遊技領域３１を流下する。発射球案内通路４３はガイドレール３３と内レール４４とによって形成されており、発射球案内通路４３の出口に位置する内レール４４の端部には弁体４６が設けられる。弁体４６の下端は内レール４４に固定され、弁体４６は発射球案内通路４３の出口を塞ぐように配設される。弁体４６は、金属板からなる板ばね部材であり、発射球案内通路４３から遊技領域３１に発射される遊技球の通過を許容する一方、遊技領域３１側から発射球案内通路４３への遊技球の逆流を禁止する。
【００３９】
〔装飾装置〕
次に、装飾装置７０について、詳細に説明する。図３は、本発明の第１の実施の形態の遊技機１に備えられる装飾装置７０の斜視図である。図４（Ａ）は装飾装置７０の正面図であり、図４（Ｂ）は装飾装置７０の側面図である。
【００４０】
装飾装置７０は、組み合わされた複数の部材から構成される。複数の部材は、ＬＥＤ基板７１（ＬＥＤ基板）と、取付けベース７２（取付け基部）と、リフレクター搭載部７３（反射板搭載部）と、装飾部材７４と、装飾カバー７５と、支持部材７６とを含む。例えば、複数の部材は、それぞれ樹脂（プラスチック）を主材料として形成される。ＬＥＤ基板７１は、プリント配線基板でよい。装飾部材７４（反射部７４ａ以外の部分７４ｂ）と装飾カバー７５は、基本的には光（可視光）の透過率が１００％近傍で透明であるが、光の透過率が１００％近傍になく半透明でもよい。装飾部材７４と装飾カバー７５は、装飾のために部分的又は全体的に透明度を大きく落とさない程度に着色されてもよい。装飾部材７４と装飾カバー７５の材料は、ガラスなどでもよい。
【００４１】
リフレクター搭載部７３は前方（即ち遊技者側）から取付けベース７２に取付けられ、装飾カバー７５は前方（即ち遊技者側）からリフレクター搭載部７３に取付けられる。なお、ＬＥＤ基板７１は後方から取付けベース７２に取付けられ、装飾部材７４は装飾カバー７５の後方で内側（装飾カバー７５の内部）に取付けられ、これらは図３と図４では図示されていない。これら部材の取付（接続）は、螺子止め、嵌合、接着等の既知の接続方法によって行われる。装飾装置７０は、ＬＥＤ基板７１のＬＥＤの光の進行方向を装飾カバー７５内で拡散した後、装飾カバー７５を通して前方に向けて光を発する。
【００４２】
取付けベース７２がセンターケース３４の裏側（遊技者側とは反対側）から螺子止め等によってセンターケース３４に取付けられていることによって、装飾装置７０は遊技盤３０に取付けられる。このため、取付けベース７２には、螺子穴７２ａが設けられている。リフレクター搭載部７３の略半円状の凹部７３ａには、装飾カバー７５が載置され、装飾カバー７５の後方の端部が収容される。
【００４３】
装飾カバー７５は、装飾用のカバーとして機能する。装飾カバー７５は、前方で閉じ後方で開口した容器状の形状を有し、内部（内側）に装飾部材７４を収容するとともにリフレクター搭載部７３のリフレクター８０の一部又は全部を覆う。装飾カバー７５の多面体の正面（外面又は前面）は、略半分に分割したダイヤモンド形状（ブリリアントカットの形状）を模して華やか又は綺羅びやかな印象を与える装飾部となる。支持部材７６は、リフレクター搭載部７３に取付けられる基部７６ａと、基部７６ａから放射状に延びる四本の指部７６ｂとを備え、下方及び前方から装飾カバー７５を支持するとともに、装飾として機能する。指部７６ｂは、装飾カバー７５の前端の凸形状に適合するように屈曲している。
【００４４】
装飾装置７０は、さらに、装飾カバー７５の両側に配置された装飾部分７７を備える。装飾部分７７は、後述のように取付けベース７２の二つの飾り部７２ｂと、リフレクター搭載部７３の二つの飾り枠部７３ｂとが各々組み合わされることによって構成される。
【００４５】
図５は、本発明の第１の実施の形態の遊技機１に備えられる装飾装置７０の分解図である。装飾装置７０において、ＬＥＤ基板７１、取付けベース７２、リフレクター搭載部７３、装飾部材７４、装飾カバー７５は、後方からこの順に積層され組み合わされている。
【００４６】
ＬＥＤ基板７１は、本体部７１ａと、本体部７１ａの下方に延びる二つの延在部７１ｂ、７１ｃを備え、光源として、本体部７１ａ上に取付けられた複数のＬＥＤ７１ｄと、二つの延在部７１ｂ、７１ｃ上に取付けられたＬＥＤ７１ｅを備える。これらＬＥＤは、前方の装飾カバー７５側に向けて発光し、可視光であれば、赤、青、緑、白等何色の光を出してもよい。ＬＥＤ基板７１は、複数のＬＥＤ７１ｄ、７１ｅに電流を供給するための電源７１ｆ（電源用のソケットでもよい）と配線を備える。ＬＥＤ７１ｄ、７１ｅの点灯又は点滅の制御は、配線を介して、図示しない演出制御装置によって遊技状態に応じて行われる。演出制御装置は、遊技制御装置から送られる遊技状態を示す信号に基づいて演出の制御を行うもので、マイクロコンピュータ、メモリ、インターフェースなどから構成される。
【００４７】
本体部７１ａに設けられた複数のＬＥＤ７１ｄは、フルカラーＬＥＤ、赤色ＬＥＤ、青色ＬＥＤ、緑色ＬＥＤの４種類のＬＥＤを含むが、白色ＬＥＤを含めてもよい。４種類のＬＥＤは、散りばめられて混在して本体部７１ａ上に配置される。
【００４８】
なお、演出制御装置が、遊技状態に応じて、複数のＬＥＤ７１ｄの発光態様を変える演出を行える。例えば、大当りの期待度（信頼度）が高くなるに応じて、緑→青→赤のように発光させるＬＥＤを順次的に変えてよい。その際はフルカラーＬＥＤであっても単色発光する。演出制御装置は、点灯と消灯を高速で繰り返してずっと点灯している見せる際の点灯時間と消灯時間の比率であるデューティー比の調整も行う。演出制御装置は、遊技機１の客待ち時には、デューティー比を高くして発光する装飾カバー７５の輝度を高めにしておき、遊技開始時には、遊技者にまぶしさを感じさせないよう、デューティー比を低くして発光する装飾カバー７５の輝度を低下させる。
【００４９】
取付けベース７２は、中央部７２ｅにおいて、複数のレンズ７２ｃを有する。ＬＥＤ基板７１が取付けベース７２に取付けられた装飾装置７０において、複数のレンズ７２ｃは、複数のＬＥＤ７１ｄのうち特定の色（ここでは赤色）のＬＥＤに対応する位置に設けられる。即ち、レンズ７２ｃは、ＬＥＤ７１ｄのうち特定の色のＬＥＤの位置を前方に移動させた位置にある。レンズ７２ｃは、中央部７２ｅに設けた開口に嵌め込まれた形で設置され、ＬＥＤ７１ｄの狭い光の照射範囲（照射角度）を拡大して、前方にＬＥＤ７１ｄからの光を照射する。なお、一部のＬＥＤ７１ｈからの光は、中央部７２ｅに設けた細長い開口７２ｆを通って、前方へと進む。光の照射範囲（照射角度）を拡大するために、細長い開口７２ｆに半円柱型のレンズが設置されてもよい。
【００５０】
取付けベース７２は、ＬＥＤ基板７１においてレンズ７２ｃに対応していないＬＥＤ７１ｇからの光をそのまま通過させる孔部７２ｄを中央部７２ｅの両側に有する。取付けベース７２は、装飾部分７７を構成する飾り部７２ｂを有する。装飾装置７０において、ＬＥＤ基板７１の二つの延在部７１ｂ、７１ｃ上のＬＥＤ７１ｅから照射された光は、透明または半透明の飾り部７２ｂ（色が付けられてもよい）を通過して前方を照らして、演出を行う。
【００５１】
リフレクター搭載部７３には、略半円状の凹部７３ａの底を構成して概略で扇型を有するリフレクター（反射板）８０が搭載される。リフレクター８０は、装飾カバー７５の開口を閉じるように、装飾カバー７５の開口側の端部に接触し、装飾カバー７５を載置する。リフレクター８０の扇型形状は、装飾カバー７５の後方端面の形状に合わせたものであり、これに限定されるものではない。なお、リフレクター搭載部７３の前面７３ｃには、他の装飾用の部材を取り付けるための螺子穴（係合部）を設けてもよい。
【００５２】
リフレクター８０（第１のリフレクター）において、装飾カバー７５に覆われる部分には、装飾部材７４（第２のリフレクター）の反射部７４ａ（図８（Ｃ））からの光を反射するための反射部８０ａが設けられている。反射部８０ａは、リフレクター８０の本体(樹脂)の表面に反射材料を付着することによって形成できる。反射材料は、好ましくは金属（例えばアルミニウムなど）でありメッキや蒸着等によって付されるが、光（可視光）を反射するものであればこれに限定されるものではない。反射材料は、反射塗料などでもよい。なお、リフレクター（反射板）８０全体を金属片で構成することもできる。また、リフレクター８０の反射部８０ａにおいて凹凸が形成されているため、反射部８０ａは、装飾部材７４の反射部７４ａからの光を前方に向けて乱反射（拡散反射）して、光の進行方向をより拡散でき、装飾カバー７５の発光をより均一化できる。
【００５３】
リフレクター８０には、複数の開口部８０ｃが形成されている。装飾装置７０において、複数の開口部８０ｃは、中央部７２ｅのレンズ７２ｃや開口７２ｆを通過する光を発するＬＥＤ７１ｄに対応する位置に設けられる。即ち、開口部８０ｃは、ＬＥＤ７１ｄの位置を前方にずらした位置にある。これにより、前後方向に沿って、ＬＥＤ７１ｄと開口部８０ｃは、並べて配置されることになる。そして、ＬＥＤ基板７１の本体部７１ａ上で前方側に設置された複数のＬＥＤ７１ｄからの光は、取付けベース７２を通過した後に、リフレクター８０の開口部８０ｃから前方の装飾部材７４側へ出射する。
【００５４】
装飾部材７４は、少なくともリフレクター８０側に向けて光（可視光）を反射する複数の反射部７４ａと、リフレクター８０側の端（端面）７４ｃで反射部７４ａが設置される本体部７４ｂを備える。本体部７４ｂは、樹脂等で形成され略透明である。例えば、反射部７４ａは、本体部７４ｂの表面に反射材料を付着することによって形成できる。反射材料は、好ましくは金属（例えばアルミニウムなど）であり、反射部７４ａは、メッキや蒸着等によって付される金属箔であるが、反射材料は光（可視光）を反射するものであればこれに限定されるものではない。また、反射材料は、反射塗料などでもよい。なお、反射部７４ａ全体を金属片や微小な鏡で構成することもできる。この場合には、反射部７４ａを本体部７４ｂに埋め込んで形成することもできる。反射部７４ａは、後方の面（後面）において、リフレクター８０側から来た光（ＬＥＤ７１ｄからの光）をリフレクター８０側に向けて反射するが、前方の面（前面）においては着色して反射しない構成としてもよい。ＬＥＤ基板７１のＬＥＤ７１ｄ、リフレクター８０の開口部８０ｃ、及び、装飾部材７４の反射部７４ａは、ＬＥＤ７１ｄからの光が反射部７４ａに当たるように又ＬＥＤ７１ｄが装飾カバー７５の前方から隠れるように、前後方向に沿って並べて配置されてよい。反射部７４ａによってＬＥＤ７１ｄが装飾カバー７５の前方から隠れると、ＬＥＤ７１ｄからの強い光が装飾カバー７５から出ず、装飾カバー７５の発光がより均一化できる。
【００５５】
また、装飾部材７４は、全体として前後方向（所定の方向）に延在するフレーム構造を有する。組み合わさることによって装飾部材７４のフレーム構造を構成する各梁部９１の幅方向は、前後方向（所定の方向）に略平行になる。装飾部材７４は、装飾カバー７５に嵌め込まれるように、装飾カバー７５側の端（端面）７４ｄが全体的に装飾カバー７５の背面（内面）に形状的に適合する。装飾部材７４は、反射部７４ａ以外の部分（本体部７４ｂ）では略透明であり、後方からの光を前方に透過する。
【００５６】
装飾カバー７５は、反射部８０ａと装飾部材７４を覆い、後方からの光の少なくとも一部を前方に透過する略透明又は半透明な樹脂（プラスチック）などから形成される。ＬＥＤ基板７１のＬＥＤ７１ｄから直接的に届いた直接光と、ＬＥＤ７１ｄからの光が装飾部材７４の反射部７４ａとリフレクター８０の反射部８０ａで反射されて届いた反射光（間接光）は、装飾カバー７５を通過して前方（遊技者側）に拡散して照射される。
【００５７】
なお、装飾カバー７５の正面が多面体であることから、特に多面体の隣りあう面の境界の角部（即ち稜部）７５ａ付近で、同一方向に装飾カバー７５に入った光も屈折して種々の方向に進み拡散される。また、通常、装飾カバー７５の表面に微小な凹凸があることや、装飾カバー７５の内側の背面（内面）と外側の正面（外面）が完全に平行でないことから、装飾カバー７５を透過する光は進行方向がある程度拡散されることになる。また、装飾カバー７５の材料に光を拡散させる拡散剤（拡散粒子）を含ませてもよい。さらに、装飾カバー７５が、所定の反射率を有しある程度光を反射する場合には、装飾カバー７５の後側の背面（内面）に当たった光が、後方に戻って、リフレクター８０の反射部８０ａで乱反射され再度前方に進み、装飾カバー７５内でより光が拡散され得る場合もある。
【００５８】
支持部材７６は、透明でも不透明でもよい。支持部材７６の基部７６ａは、リフレクター搭載部７３のリフレクター８０の下部に位置する孔８０ｇに挿入され、接着などにより固定される。支持部材７６の四本の指部７６ｂは、装飾カバー７５を後方のリフレクター８０に押すようにして支持する。
【００５９】
図６（Ａ）−（Ｄ）は、各々、装飾カバー７５の斜視図、側面図、上面図、正面図（前面図）を示す。装飾カバー７５の正面（外面）は、略半分に分割したダイヤモンド形状（ブリリアントカットの形状）の多面体である。装飾カバー７５の正面（外面）には、多面体の角部７５ａが表れており、装飾性を有する。なお、後述のように、装飾カバー７５の背面（内面）も、略半分に分割したダイヤモンド形状（ブリリアントカットの形状）の多面体である。
【００６０】
図７（Ａ）−（Ｄ）は、各々、装飾部材７４の斜視図、側面図、上面図、正面図（前面図）を示す。装飾部材７４は、前後方向に対して垂直に延在する端７４ｃ（ここでは、最もリフレクター８０側にある端）を底部として有し、全体として装飾カバー７５に適合する山型の形状を有する（図７（Ｂ）参照）。装飾部材７４には、前後方向に関して、複数の凸部９５と複数の凹部９６が形成されている。リフレクター８０側の端７４ｃを基準とする凸部９５の高さは、左右対称となる装飾部材７４の対称中心面（前後方向に沿った中心面）から離れるに応じて低くなる（図７（Ｂ）（Ｃ）参照）。装飾部材７４の各梁部９１の幅方向が前後方向に略平行であることから、装飾部材７４は前後方向に見て、複数の枠（囲い）からなる枠構造（囲い構造）を有している（図７（Ｄ）参照）。
【００６１】
複数の梁部９１（壁部）により、網目状の枠構造が構成されることになる。装飾部材７４の各梁部９１において、装飾カバー７５側の端（端面）９１ａには、前後方向において鋸の歯のようにギザギザの小さな凹凸９３が設けられる一方、リフレクター８０側の端９１ｃには、複数の反射部７４ａが並べて設けられる。凹凸９３は、後方からの光を種々の方向に屈折させて進行方向を拡散して前方へ射出する。なお、反射部７４ａは、全ての梁部９１に設けられてもよいし、一部の梁部９１に設けられてもよい（図８（Ｃ）参照）。
【００６２】
図８（Ａ）−（Ｄ）と図９（Ａ）（Ｂ）は、装飾カバー７５と装飾部材７４が前後方向に重ねられる様子を示す図である。図８（Ａ）の装飾カバー正面（前面）の多面体形状（ブリリアントカット形状）に対応して、図８（Ｂ）の装飾カバー背面（後面）も略同型の多面体形状（ブリリアントカット形状）を有する。図８（Ａ）の装飾カバー正面の角部７５ａに合せて、図８（Ｂ）の装飾カバー背面（後面）には畝部（リブ）７５ｂが設けられる。即ち、装飾カバー７５の正面の多面体における角部（即ち稜部）７５ａからなる稜線に合せて、装飾カバー７５の背面に畝部７５ｂが網目状に設けられている。この畝部７５ｂによって光が拡散又は反射し易くなり、装飾装置７０の装飾カバー７５からの照明が均一になる。
【００６３】
図８（Ｃ）の装飾部材７４が、図８（Ｄ）のように装飾カバー７５に前後方向に重ねられる。この場合に、装飾部材７４は、図９（Ａ）（Ｂ）のように、装飾カバー７５内に収容される。前後方向において、装飾部材７４における装飾カバー７５側の端７４ｄは、装飾カバー７５の角部（稜部）７５ａ及び畝部７５ｂに対向して配置されている。このため、装飾部材７４のギザギザの小さな前後方向の凹凸９３や、凸部９５と凹部９６からなる前後方向の大きな凹凸は、装飾カバー７５の角部７５ａと前後方向で重なって配置される。従って、前方から見た場合には、装飾カバー７５の角部７５ａからなる稜線が強調されて、装飾カバー７５の装飾性が向上する。
【００６４】
（第１の実施の形態の効果）
第１の実施の形態によると、後方に配置された光源（例えばＬＥＤ７１ｄ）からの光を拡散可能な装飾カバー７５を有する遊技機において、装飾カバー７５の内側に装飾部材７４を備える。装飾部材７４は、装飾カバー７５側に凹凸（例えば凹凸９３や凸部９５と凹部９６からなる凹凸）を有し、当該凹凸は、装飾カバー７５の角部（稜部）７５ａに合せて配置される。
【００６５】
従って、凹凸を有する装飾部材７４を装飾カバー７５の内側に備えるため、装飾部材７４によって光源からの光を拡散でき、装飾カバー７５から均一に光が放出され易くなる。さらに、装飾カバー７５の凹凸が装飾カバー７５の角部（稜部）７５ａに合せて配置されるため、装飾カバー７５を見た場合に角部（稜部）７５ａが強調されて、装飾カバー７５の装飾性が向上する。
【００６６】
第１の実施の形態によると、装飾部材７４は、光源（例えばＬＥＤ７１ｄ）からの光を反射できる反射部７４ａを光源側に備えている。従って、光源から装飾部材７４に届いた光がより拡散でき、装飾カバー７５から均一に光が放出され易くなる。
【００６７】
（第２の実施の形態）
図１０は、第２の実施の形態に係る装飾装置７０の分解図である。第２の実施の形態において、装飾装置７０は、リフレクター搭載部７３と装飾部材７４の間に、拡散部材１０１を備える。他の構成は、第１の実施の形態と同様である。
【００６８】
図１１（Ａ）−（Ｄ）は、各々、拡散部材１０１の斜視図、側面図、上面図、正面図（前面図）を示す。拡散部材１０１は、その輪郭が装飾カバー７５の開口の形状に略一致して、装飾カバー７５の開口を閉じる。拡散部材１０１は、段状の板状部１０２と、複数の多角柱状の柱状突起部１０３から構成される。板状部１０２は、中央部１０２ａが両側部１０２ｃ、１０２ｄに対して前方に延出しているため、段状となっている。さらに、各側部１０２ｃ、１０２ｄも段状になっており、内側部分１０２ｃ−１、１０２ｄ−１が外側部分１０２ｃ−２、１０２ｄ−２（外側の端部）から前方に延出して段をなしている。
【００６９】
中央部１０２ａと両側部１０２ｃ、１０２ｄの前面（即ち、装飾部材７４側の面）、及び、柱状突起部１０３の頂部１０３ｆには、全体的に凹凸状の模様が付けられている。従って、拡散部材１０１は、ＬＥＤ基板７１のＬＥＤ７１ｄから直接的に届いた直接光と、ＬＥＤ７１ｄからの光が装飾部材７４の反射部７４ａで反射されて届いた反射光（間接光）を散乱・拡散することができ、装飾装置７０の装飾カバー７５からの照明が均一になる。
【００７０】
中央部１０２ａの前面には、上側に三つの柱状突起部１０３ａと下側に三つの柱状突起部１０３ｂが設けられる。三つの柱状突起部１０３ａ、１０３ｂにおいて、真ん中の柱状突起部が最も高く、左右の柱状突起部の高さは低くなっている。右側部１０２ｃの内側部分１０２ｃ−１の前面には、二つの柱状突起部１０３ｃが設けられ、左側部１０２ｄの内側部分１０２ｄ−１の前面には、二つの柱状突起部１０３ｄが設けられる。二つの柱状突起部１０３ｃ、１０３ｄの高さは、中央部１０２ａの段の高さに略等しい。両側部１０２ｃ、１０２ｄからの柱状突起部１０３の高さは、左右対称となる拡散部材１０１の対称中心面（前後方向に沿った中心面）から離れるに応じて低くなる（図１１（Ｃ）参照）。
【００７１】
なお、複数の多角柱状の柱状突起部１０３（１０３ａ、１０３ｂ、１０２ｃ、１０３ｄ）に対向する位置に、複数のＬＥＤ７１ｄが設けられるようにすると、ＬＥＤ７１ｄからの光が柱状突起部１０３に入って柱状突起部１０３が発光して、装飾装置７０の装飾性をより向上できる。また、個々の柱状突起部１０３を電気モータ（アクチュエータ）によって回転するように構成すると、装飾装置７０の装飾性をより向上できる。
【００７２】
図１２（Ａ）（Ｂ）、図１３（Ａ）−（Ｃ）、図１４（Ａ）−（Ｃ）は、拡散部材１０１が後方から装飾部材７４に嵌め込まれて組立てられる様子を示す。図１２（Ａ）（Ｂ）は、拡散部材１０１と装飾部材７４からなる組立体（アセンブリ）の正面図と断面図を示す。図１３（Ａ）−（Ｃ）は、この組立体の左上からの斜視図、右上からの斜視図、上面図を示す。図１４（Ａ）−（Ｃ）は、この組立体の左下からの斜視図、右下からの斜視図、下面図を示す。拡散部材１０１の多角柱状の柱状突起部１０３の頂部１０３ｆは、装飾部材７４の梁部９１のリフレクター８０側の端９１ｃに対向して配置される。また、拡散部材１０１の柱状突起部１０３は、装飾部材７４の枠構造（囲い構造）の一部の枠に挟み込まれ、装飾部材７４の隙間に嵌め込まれるように配置される。
【００７３】
（第２の実施の形態の効果）
第２の実施の形態によると、後方に配置された光源（例えばＬＥＤ７１ｄ）からの光を拡散可能な装飾カバー７５を有する遊技機１において、装飾部材７４は、前後方向の凹凸（例えば凹凸９３や凸部９５と凹部９６からなる凹凸）を有し、装飾カバー７５の内側に設けられる。拡散部材１０１は、装飾部材７４の後方に配置され、装飾を有して光源からの光を拡散可能に構成した。
【００７４】
従って、装飾カバー７５の内側に凹凸を有する装飾部材７４を備え、さらに装飾部材７４の後方に光源からの光を拡散可能な拡散部材１０１を配置したため、光源からの光をよく拡散でき、装飾カバー７５から均一に光が放出され易くなる。
【００７５】
（第３の実施の形態）
図１５は、第３の実施の形態に係る装飾カバー７５の背面図である。第３の実施の形態において、装飾カバー７５の背面には、大きさの異なる凸部７５ｃ（盛上り）を並べて設けることによって、凹凸が付けられている。凸部と凸部の間が、凹部７５ｄ（谷部）となり連なって模様としてのライン（線）を形成している。なお、凸部７５ｃは、装飾カバー７５の背面において光を拡散させるレンズとして機能する。他の構成は、第１の実施の形態と同様である。
【００７６】
装飾カバー７５の背面において、水平方向の互いに平行な複数のライン７５ｆが形成される。さらに、装飾カバー７５の背面の多面体形状（ブリリアントカット形状）において、菱形面の対向する頂点を結ぶ折れ線が、略等角度間隔のライン７５ｇとして設けれ、水平方向のライン７５ｆと交差する。ライン７５ｆ、７５ｇは、全体として網目状の模様を構成している。このように、装飾カバー７５の背面において、大きさの異なる複数の凸部７５ｃが、装飾カバー７５の正面の角部（稜部）７５ａを枠として角部７５ａに合せて配列されることになり、装飾カバー７５の装飾性が向上する。なお、菱形面は、二つの三角面からなる折れた菱形面の場合もある。
【００７７】
なお、代替として、装飾カバー７５の背面に、凸部７５ｃ（盛上り）の代わりに大きさの異なる凹部（窪み）を同様に並べて設けることによって、凹凸が付けられてもよい。この場合には、凹部と凹部の間が、凸部（稜部）となり、網状に連なってラインを形成する。
【００７８】
（第３の実施の形態の効果）
第３の実施の形態によると、装飾カバー７５の内面が、凹凸を備える。従って、装飾カバー７５は光を拡散し易くなり、より均一に光を放出し易くなる。さらに、装飾カバー７５の装飾性が向上する。
【００７９】
（第４の実施の形態）
図１６と図１７は、第４の実施の形態に係る装飾装置７０の上下方向の断面図である。第４の実施の形態において、ＬＥＤ基板７１（ひいてはＬＥＤ７１ｄ（光源））と装飾部材７４（ひいては反射部７４ａ）が前後に移動可能に構成される。ＬＥＤ基板７１と装飾部材７４は、図示しない既知の駆動機構によって前後に移動できるように構成される。駆動機構は、電気モータやギアその他の機構（電気モータの回転を並進運動に変換する機構など）から構成できる。他の構成は、第１から第３の実施の形態と同様である。なお、装飾部材７４が前後に移動可能に構成される場合には、拡散部材１０１は設置されない。
【００８０】
図１６（Ａ）は、ＬＥＤ基板７１が取付けベース７２の主面及びリフレクター８０に最も近接する位置にある状況を示す。この場合に、ＬＥＤ基板７１のＬＥＤ７１ｄ（光源）は、リフレクター８０の開口部８０ｃに最も近接するため、装飾部材７４に達したときのＬＥＤ７１ｄの光の幅（広がり）は、相対的に狭い。
【００８１】
図１６（Ｂ）は、ＬＥＤ基板７１が取付けベース７２の主面及びリフレクター８０から最も離れた位置にある状況を示す。この場合に、ＬＥＤ基板７１のＬＥＤ７１ｄ（光源）は、開口部８０ｃから最も離れるため、装飾部材７４に達したときのＬＥＤ７１ｄの光の幅（広がり）は、図１６（Ａ）の場合より相対的に広くなる。
【００８２】
図１７（Ａ）は、装飾部材７４がリフレクター８０に最も近接する位置にある状況を示す。この場合に、装飾部材７４は、ＬＥＤ７１ｄ（光源）に最も近接するため、装飾部材７４に達したときのＬＥＤ７１ｄの光の幅（広がり）は、相対的に狭い。
【００８３】
図１７（Ｂ）は、装飾部材７４がリフレクター８０から最も離れた位置にある状況を示す。この場合に、装飾部材７４は、ＬＥＤ７１ｄ（光源）から最も離れるため、装飾部材７４に達したときのＬＥＤ７１ｄの光の幅（広がり）は、図１７（Ａ）の場合より相対的に広くなる。
【００８４】
なお、駆動機構からの並進力を装飾部材７４に加わえられるように、装飾カバー７５の下部等の一部を切欠いて駆動機構から装飾部材７４に並進力を伝える構成としてもよい。即ち、装飾部材７４の下部等を駆動機構で動かす構成としてもよい。
【００８５】
（第４の実施の形態の効果）
遊技機１の装飾装置７０の前方にはカバーガラス６ａが位置し、後方には入賞した遊技球を排出するための流路を備えていることがあるため、装飾装置７０全体を前後に動かすことは困難である。しかし、本実施形態において、装飾装置７０内でＬＥＤ基板７１のみを前後方向へ移動可能であるため、装飾装置７０全体を前後方向に動かさなくても動かした場合と同等以上に装飾性が増す。即ち、ＬＥＤ基板７１のＬＥＤ７１ｄ（光源）を前後方向へ移動して、ＬＥＤ７１ｄと装飾部材７４との距離を調整することによって、ＬＥＤ７１ｄの光が装飾部材７４に到達するまでの光路の長さが変わり、装飾装置７０の発光態様を変化させることができ、装飾装置７０の装飾性が増す。
【００８６】
また、ＬＥＤ７１ｄを後方へ動かした場合に、前方に位置した場合に比べて、ＬＥＤ７１ｄから装飾カバー７５までの直接光の光路が長くなるので、装飾カバー７５内でより光が拡散する。なお、演出制御装置が、駆動機構の電気モータに指示することによって、遊技状態に応じて、ＬＥＤ７１ｄを前後方向に移動させて装飾装置７０の発光態様を変える演出も行える。
【００８７】
また、本実施形態において、装飾装置７０内で装飾部材７４のみを前後方向へ移動可能であるため、装飾装置７０全体を前後方向に動かさなくても動かした場合と同等以上に装飾性が増す。即ち、装飾部材７４の反射部７４ａを前後方向へ移動して、反射部７４ａとリフレクター８０との距離を調整することによって、ＬＥＤ７１ｄの光が反射部７４ａに到達するまでの光路の長さが変わり、装飾装置７０の発光態様を変化させることができ、装飾装置７０の装飾性が増す。
【００８８】
また、反射部７４ａを前方へ動かした場合に、後方に位置した場合に比べて、ＬＥＤ７１ｄから装飾カバー７５までの反射光の光路が長くなるので、装飾カバー７５内でより光が拡散する。即ち、反射部７４ａとリフレクター８０との距離を大きくするほど、装飾カバー７５の発光の均一性が増加する。なお、演出制御装置が、駆動機構の電気モータに指示することによって、遊技状態に応じて、装飾部材７４の反射部７４ａを前後方向に移動させて装飾装置７０の発光態様を変える演出も行える。
【００８９】
（第５の実施の形態）
図１８は、第５の実施の形態に係る装飾装置７０の分解図である。第５の実施の形態において、第１から第４の実施の形態からＬＥＤ基板７１の二つの延在部７１ｂ、７１ｃおよびその上に設けられるＬＥＤ７１ｅが削除されている。他の構成は、第１から第４の実施の形態と同様である。
【００９０】
取付けベース７２に設けられた透明または半透明の飾り部７２ｂは、ＬＥＤ基板７１のＬＥＤではなく、飾り部７２ｂの後方にある変動表示装置（表示装置）３５の液晶ディスプレイなどの表示部３５ａからの光を通過させて前方を照らして、演出を行う。表示部３５ａの表示態様又は発光態様に応じて、飾り部７２ｂの発光態様が変更される。
【００９１】
（第５の実施の形態の効果）
第５の実施の形態によると、ＬＥＤ基板７１のＬＥＤを削除して装飾装置７０の製造コストを削減するとともに、変動表示装置（表示装置）３５の演出に応じて、飾り部７２ｂの発光態様が変更でき、遊技の興趣が高まる。
【００９２】
なお、今回開示した上記の各実施の形態は、すべての点で例示であって制限的なものではない。また、本発明の範囲は前述した発明の説明ではなく特許請求の範囲によって示され、特許請求の範囲と均等の意味及び内容の範囲でのすべての変更が含まれることが意図される。
【符号の説明】
【００９３】
１        遊技機
３０      遊技盤
７０      装飾装置
７１      ＬＥＤ基板
７１ｄ    ＬＥＤ（光源）
７２      取付けベース
７３      リフレクター搭載部
７４      装飾部材
７４ａ    反射部
７４ｂ    本体部
７４ｃ    前端
７４ｄ    後端
７５      装飾カバー
７５ａ    角部（稜部）
７５ｂ    畝部
７６      支持部材
７７      装飾部分
８０      リフレクター
８０ａ    反射部
９３      凹凸
９５      凸部
９６      凹部
１０１    拡散部材
１０３    柱状突起部
【図１】
2014104197.tif 000003
【図２】
2014104197.tif 000004
【図３】
2014104197.tif 000005
【図５】
2014104197.tif 000006
【図１０】
2014104197.tif 000007
【図１６】
2014104197.tif 000008
【図１７】
2014104197.tif 000009
【図１８】
2014104197.tif 000010
【図４】
2014104197.tif 000011
【図６】
2014104197.tif 000012
【図７】
2014104197.tif 000013
【図８】
2014104197.tif 000014
【図９】
2014104197.tif 000015
【図１１】
2014104197.tif 000016
【図１２】
2014104197.tif 000017
【図１３】
2014104197.tif 000018
【図１４】
2014104197.tif 000019
【図１５】
2014104197.tif 000020
【図１９】
2014104197.tif 000021